(57)【要約】【課題】壁面、天井、床面等に配置でき、線材の余長線をコンパクトに収納し且つ引き出すことが可能で、ローゼットの取付位置に自由度が持てるようにする。【解決手段】室内に裏面側を固定するベース板２と、該ベース板２の表面側に被せられるカバー４と、当該カバー４内面側に取り付けたシャッター付きアダプタ３とを備え、当該カバー４の内面側には、前記シャッター付きアダプタ３に接続した局側光コネクタＰ２から出ている線材Ｌの余長線Ｌ１を略長円形状の内周壁面に沿って複数段ループ状にして収納可能とした余長線収納部１２と、該余長線収納部１２の一端側寄りに、スリット部１３を介してのカバー４外方への線材Ｌの引っ張りにより前記余長線Ｌ１の一部を最小半径を保つように巻き込み係止する巻き取り係止兼ガイド突起１０ａ、１０ｂとを備える。【選択図】図９
2008276065.tif 000002
【特許請求の範囲】
【請求項１】
室内に裏面側が固定されるベース板と、該ベース板の表面側に被せられるカバーと、当該カバー内面側に取り付けられたシャッター付きアダプタとを備え、当該カバーの内面側には、前記シャッター付きアダプタに接続した局側光コネクタから出ている線材の余長線を略長円形状の内周壁面に沿って複数段ループ状にして収納可能とした余長線収納部と、該余長線収納部の一端側寄りに設けられ、スリット部を介してのカバー外方への線材の引っ張りにより前記余長線の一部を最小半径を保つように巻き込み係止させる巻き取り係止兼ガイド突起とを備えてなることを特徴とする余長線収納型ローゼット。
【請求項２】
前記巻き取り係止兼ガイド突起は、スリット部を介してのカバー内方への線材の押し込みにより前記余長線の巻き込みを解放させて収納部内に収納可能にさせている請求項１記載の余長線収納型ローゼット。
【請求項３】
前記巻き取り係止兼ガイド突起は、外周面が略円弧状となった複数の突起群によって形成されてなると共に、前記カバーは、局側光コネクタから出た線材の当該カバー側での最小半径による引き回しが可能となる範囲内でその大きさが決定されている請求項１または２記載の余長線収納型ローゼット。
【請求項４】
前記巻き取り係止兼ガイド突起は、前記余長線の最小曲げ半径となるようにその半径が決定されている請求項１乃至３のいずれか記載の余長線収納型ローゼット。
【請求項５】
ベース板裏面側における左右両端部には、ベース板自体を屋内の所望の位置に固定するための、ネジ孔または両面粘着ファスナーを貼着する貼着スペースを備えた請求項１乃至４のいずれか記載の余長線収納型ローゼット。
【請求項６】
前記巻き取り係止兼ガイド突起それぞれは互いに左右対称配置となって形成されている請求項１乃至５のいずれか記載の余長線収納型ローゼット。
【発明の詳細な説明】
【技術分野】
【０００１】
本発明は、線材の余長線を収納可能とし、且つ余長線を所定の長さに引き出し可能とした余長線収納ローゼットに関する。
【背景技術】
【０００２】
従来、局側より工事された線材の余りである余長線は、局側もしくは利用者側が丸める等の処理をして部屋の適当な場所に放置されている。
【特許文献１】特になし
【発明の開示】
【発明が解決しようとする課題】
【０００３】
しかしながら、従来においては、部屋内部で余長線は大きなリング状に丸め込まれた状態で放置されているため、これに手脚や器具等を引っ掛ける等して非常に危険である。しかも、ＰＣ等の設置箇所の移動等によるローゼットの取付位置の変更により、この丸め込んだ余長線の必要な長さ部分だけを引き出してローゼットに繋ぐ場合、必要な長さ分を調整して引き出すことが難しい上に、余長線が絡まってしまうことがあり、非常に面倒で時間の掛かる作業になるという問題がある。
【０００４】
そこで、本発明は、叙上のような従来存した諸事情に鑑み案出されたもので、壁面、天井、床面等の各種の部分に配置でき、線材の余長線をコンパクトに収納し且つ引き出すことが可能で、工事における失敗分の余長線確保やＰＣ等の設置箇所の移動等によるローゼットの取付位置の変更など当該ローゼットの取付位置に自由度が持てるようにすることができる余長線収納型ローゼットを提供することを目的とする。
【課題を解決するための手段】
【０００５】
上述した課題を解決するため、本発明にあっては、室内に裏面側が固定されるベース板と、該ベース板の表面側に被せられるカバーと、当該カバー内面側に取り付けられたシャッター付きアダプタとを備え、当該カバーの内面側には、前記シャッター付きアダプタに接続した局側光コネクタから出ている線材の余長線を略長円形状の内周壁面に沿って複数段ループ状にして収納可能とした余長線収納部と、該余長線収納部の一端側寄りに設けられ、スリット部を介してのカバー外方への線材の引っ張りにより前記余長線の一部を最小半径を保つように巻き込み係止させる巻き取り係止兼ガイド突起とを備えてなることを特徴とする。
【０００６】
前記巻き取り係止兼ガイド突起は、スリット部を介してのカバー内方への線材の押し込みにより前記余長線の巻き込みを解放させて収納部内に収納可能にさせている。
【０００７】
前記巻き取り係止兼ガイド突起は、外周面が略円弧状となった複数の突起群によって形成されてなると共に、前記カバーは、局側光コネクタから出た線材の当該カバー側での最小半径による引き回しが可能となる範囲内でその大きさが決定されている。
【０００８】
前記巻き取り係止兼ガイド突起は、前記余長線の最小曲げ半径となるようにその半径が決定されている。
【０００９】
ベース板裏面側における左右両端部には、ベース板自体を屋内の所望の位置に固定するための、ネジ孔または両面粘着ファスナーを貼着する貼着スペースを備えている。
【００１０】
前記巻き取り係止兼ガイド突起それぞれは互いに左右対称配置となって形成されている。
【発明の効果】
【００１１】
本発明によれば、屋内の壁面、天井、床面等の各種の部分に配置でき、線材の余長線をコンパクトに収納し且つ引き出すことが可能で、工事における失敗分の余長線確保やＰＣ等の設置箇所の移動等によるローゼットの取付位置の変更など当該ローゼットの取付位置に自由度が持てるようにすることができる。
【００１２】
前記巻き取り係止兼ガイド突起は、スリット部を介してのベース板内方への線材の押し込みにより前記余長線の巻き込みを解放させて収納部内に収納可能にさせているので、工事における失敗分の余長線確保やＰＣ等の設置箇所の移動等によるローゼットの取付位置の変更などにおいて、線材の余長線を容易に引き出すことができる。
【００１３】
前記巻き取り係止兼ガイド突起は、外周面が略円弧状となった複数の突起群によって形成されてなるので、引き出された余長線を最小半径でしっかりと係止させることができ、しかも引っ張り強度も安定する。また、カバーは、局側光コネクタから出た線材の当該カバー側での最小半径による引き回しが可能となる範囲内でその大きさが決定されているので、ローゼット全体の小型化および省スペース化が可能となり、しかも組立性能も向上する。
【００１４】
前記巻き取り係止兼ガイド突起は、前記余長線の最小曲げ半径となるようにその半径が決定されているので、余長線収納部内から引き出された余長線を巻き取り係止兼ガイド突起に最小半径を保つように巻き込ませることができる。
【００１５】
ベース板裏面側における左右両端部には、ベース板自体を屋内の所望の位置に固定するための、ネジ孔または両面粘着ファスナーを貼着する貼着スペースを備えたので、当該ベース板の取り付け、取り外しが容易となり且つ取付位置の変更も容易に行える。
【００１６】
前記巻き取り係止兼ガイド突起それぞれは互いに左右対称配置となって形成されているので、線材Ｌの引き回しは左右いずれの方向からでも良く、これによって引き回し自由度が向上する。
【発明を実施するための最良の形態】
【００１７】
以下、図面を参照して本発明を実施するための最良の一形態を説明する。
本発明に係る余長線収納型ローゼット１は、図９に示すように、線材Ｌの余長線Ｌ１の一部である例えば約５０ｍｍ程度を収納したり引き出したりすることで、当該余長線収納型ローゼット１自体の取付位置の変更に自由度が持てるようにしたものであり、図１、図２および図７に示すように、室内に裏面側が固定されるベース板２と、該ベース板２の表面側に被せられるカバー４と、当該カバー４の内面側に取り付けられたシャッター付きアダプタ３とから構成されている。
【００１８】
そして、図１、図６に示すように、カバー４の開口縁部には、左右一対で両側対称位置の合計４箇所に凸部４ａが設けられ、これに対応してベース板２周囲の４箇所には凹部４ｂが形成され、凸部４ａと凹部４ｂとの嵌合乃至離脱によってベース板２に対するカバー４の脱着が可能となるようにしてある。ベース板２からカバー４を取り外す場合には、当該カバー４に設けられた溝部４ｃにマイナスドライバー等の工具を挿入してこじ開けられるようにしてある。また、カバー４の一端部中央には、後述するシャッター付きアダプタ３における光屋内配線用コネクタＰ１の嵌合部Ａに対応して略矩形状の挿入開口部８が形成されている。
【００１９】
図１、図２に示すように、カバー４における挿入開口部８内側は略コ字枠状の挿入枠部５が延設され、挿入枠部５の下面中央は凹溝切欠状となっており、そこからバネ性を有する舌片状の係止片６が内方に向けて突設されている。そして、この係止片６のバネ力を介して、後述する構成のシャッター付きアダプタ３が装着固定されるようにしてある。
【００２０】
すなわち、図２（ｅ）に示すように、挿入開口部８から挿入枠部５内にシャッター付きアダプタ３を挿入した際に、シャッター付きアダプタ３の下面中央に形成された三角突起状の係合部７に前記係止片６がスナップフィット止め式に嵌り込むことでシャッター付きアダプタ３はカバー４に抜け止め状態となって固定される。このとき、シャッター付きアダプタ３内面において係合部７に対向して形成された段差状の係止面部７ａが、光屋内配線用コネクタＰ１挿入時の係止となる。
【００２１】
また、図１（ｃ）、図７、図８等に示すように、シャッター付きアダプタ３は、光屋内配線用コネクタＰ１と局側光コネクタＰ２との相互を光軸を合致させた状態で接続するためのものであり、合成樹脂の成型品でなる略角筒状に形成されている。そしてこの両端には、光軸が一致するように光屋内配線用コネクタＰ１の嵌合部Ａと、局側光コネクタＰ２の嵌合部Ｂとをそれぞれ備えている。このとき、シャッター付きアダプタ３の嵌合部Ａにおける接続端は斜め上方向に向けて開口している。また、他方の嵌合部Ｂにおける接続端は水平方向に開口している。
【００２２】
また、一方の嵌合部Ａにおける上側壁の内側中央には、光屋内配線用コネクタＰ１挿入時のガイドのために、光軸方向に沿って直線溝条となったキー溝が形成されている。そして、後述するシャッター板９が斜め配置となって嵌合部Ａの嵌合端を閉鎖した際には、外部からの塵埃の侵入を防ぐために、シャッター板９上端の中央に突設した凸部で当該キー溝を内側から密閉するようにしてある。
【００２３】
すなわち、シャッター板９で嵌合部Ａの嵌合端を内側から閉鎖した状態では、キー溝と凸部、およびシャッター付きアダプタ３の上側壁とシャッター板９の上端縁とがそれぞれ接触することでシャッター板９は嵌合端を確実に係止させるものとなる。尚、他方の嵌合部Ｂにおける上側壁には接続端から内側に向けてガイド溝が形成されている。
【００２４】
図１、図３、図９および図１０に示すように、カバー４の内面他端側にあって中央寄りの左右両側には、シャッター付きアダプタ３の嵌合部Ｂに装着された局側光コネクタＰ２の線材Ｌを最小半径となって係止且つガイドするために、それぞれ外周面が略円弧状となった２個一対の略三角形筒状の巻き取り係止兼ガイド突起１０ａ、１０ｂが対向突設してなる。
【００２５】
また、前記二つの略三角形筒状の巻き取り係止兼ガイド突起１０ａ、１０ｂそれぞれに対向して略三角形筒状の二つのガイド突起１０ｃ、１０ｄが、さらに二つのガイド突起１０ｃ、１０ｄそれぞれに対応して略楕円形状のガイド突起１０ｅ、１０ｆがスリット部１３側へそれぞれほぼ等間隔に対向突設され、これによって、最初、局側光コネクタＰ２から出た線材Ｌの根元部分を、巻き取り係止兼ガイド突起１０ａ、１０ｂとガイド突起１０ｃ、１０ｄとの間に導入させることで当該線材Ｌを最小半径で引き回し可能となるようにしている。
【００２６】
さらに、線材Ｌの巻き取り係止兼ガイド突起１０ａと線材Ｌの巻き取り係止兼ガイド突起１０ｂ、ガイド突起１０ｃとガイド突起１０ｄ、ガイド突起１０ｅとガイド突起１０ｆそれぞれは互いに左右対称配置となっているため、線材Ｌの引き回しは左右いずれの方向からでも可能である。
【００２７】
こうして、図８および図９に示すように、カバー４内面の余長線収納部１２の内周壁面に沿って余長線Ｌ１が複数段ループ状にして収納され、カバー４の他端中央に形成した浅溝状のスリット部１３を介して線材Ｌを外方へ突出させるようになっている。
【００２８】
而して、局側光コネクタＰ２から導出された線材Ｌは、図９（ａ）、（ｂ）に示すように、係止兼ガイド突起１０ｂとガイド突起１０ｄ間を介してガイド突起１０ｆ、１０ｅとカバー４外周の壁部間を通過させてシャッター付きアダプタ側へ戻し、全長線収納部１２の奥部でターンさせる。
【００２９】
そして、さらに、巻き取り係止兼ガイド突起１０ｂ、ガイド突起１０ｄ、ガイド突起１０ｆ、１０ｅとカバー４外周の壁部間を通過させて全長線収納部１２の略中間部分でターンさせた後、ガイド突起１０ｄとガイド突起１０ｆ（もしくはガイド突起１０ｃとガイド突起１０ｅ）間を介してスリット部１３からカバー４の外部へ導出させる。以降、同様な動作を繰り返すことにより線材Ｌは余長線収納部１２に複数段ループ状に収納される。
【００３０】
こうして、スリット部１３を介してのカバー４外方への局側光コネクタＰ２の線材Ｌの例えば５０ｍｍ程度の引っ張りにより、前記余長線Ｌ１の一部を最小半径である例えば半径１５ｍｍ程度を保つように前記巻き取り係止兼ガイド突起１０ａ、１０ｂによって巻き込み係止させることができる（図９（ｃ）および図９（ｄ）参照）。
【００３１】
一方、スリット部１３を介してのカバー４内方への局側光コネクタＰ２の線材Ｌの例えば５０ｍｍ程度の押し込みにより、巻き取り係止兼ガイド突起１０ａ、１０ｂに対する余長線Ｌ１の巻き込みを前記巻き取り係止兼ガイド突起１０ａ、１０ｂから解放させて余長線収納部１２の奥部内周壁面にスライド収納される（図９（ｅ）および図９（ｆ）参照）。したがって、余長線収納部１２内に線材Ｌを収納した状態では最大５０ｍｍ縮まると共に、余長線収納部１２から線材Ｌを引き出した状態では、最大５０ｍｍ伸びた状態となる。
【００３２】
ところで、前記余長線収納部１２の幅員は、線材Ｌの最低曲径で決定されており、また余長線収納部１２の収納量は線材Ｌの重ね段数と、巻き取り係止兼ガイド突起１０ａ、１０ｂやガイド突起１０ｃ、１０ｄ等の半径によって決定されている。また、カバー４自体の大きさは、局側光コネクタＰ２から出た線材Ｌの当該カバー４側での最小半径による引き回しが可能となる範囲内でその大きさが決定されている（図１０参照）。
【００３３】
図１および図４に示すように、ベース板２の両端位置にはネジ孔１５が形成されており、屋内の壁面等の所定の位置にベース板２下面を当接しておいてから、ベース板２の表面側からネジ孔１５にネジ１６をねじ込むことによって固定され、このベース板２表面にカバー４が嵌め込まれる。
【００３４】
また、カバー４のガイド突起１０ｅ、１０ｆおよびスリット部１３との間に、略筒状となった不図示のガイド突起を互いに対向するようにして配置し、引き出しまたは収納される余長線Ｌ１を両ガイド突起により緩やかな曲面に沿ってガイドされることで、余長線Ｌ１の引き出し乃至押し込みにおける過度な湾曲歪みによる障害を未然に防止できるようにしても良い。
【００３５】
さらに、図５に示すように、ベース板２の裏面側における左右両端の縁部に沿って貼着スペース１８が突設けられ、該ベース板２をネジ１６で固定する替わりに、貼着スペース１８に貼着された両面粘着ファスナー１９を介してベース板２自体を屋内の所望の位置に固定しても良い。
【００３６】
次に、以上のように構成された最良の形態についての組立、使用、動作の一例について説明する。
【００３７】
先ず、カバー４の溝部４ｃにマイナスドライバー等の工具を挿入し、凸部４ａと凹部４ｂとを強制離脱させることでカバー４からベース板２を取り外す（図６参照）。
【００３８】
そして、図２に示すように、挿入開口部８から挿入枠部５内にシャッター付きアダプタ３を挿入し、シャッター付きアダプタ３の係合部７に前記係止片６がスナップフィット止め式に嵌り込むことでシャッター付きアダプタ３はカバー４に固定される。このとき、シャッター付きアダプタ３内面の係止面部７ａが、光屋内配線用コネクタＰ１が挿入された際の係止となる。
【００３９】
局側光コネクタＰ２をシャッター付きアダプタ３の嵌合部Ｂに装着し、図１０に示すように、局側光コネクタＰ２から出た線材Ｌの根元部分を、巻き取り係止兼ガイド突起１０ａ、１０ｂとガイド突起１０ｃ、１０ｄとガイド突起１０ｅ、１０ｆとの間に順次導入させることで当該線材Ｌを最小半径で引き回した後、図８、図９に示すように、線材Ｌの余長線Ｌ１を余長線収納部１２の内周壁面に沿って複数段ループ状にして収納し、スリット部１３から線材Ｌを外方へ突出させておく。
【００４０】
尚、線材Ｌの引き回しに際し、巻き取り係止兼ガイド突起１０ａと係止兼ガイド突起１０ｂ、ガイド突起１０ｃとガイド突起１０ｄ、ガイド突起１０ｅとガイド突起１０ｆそれぞれは互いに左右対称配置となっているため、線材Ｌの引き回しは左右いずれの方向からでも良く、これによって引き回し自由度が向上するものとなる。
【００４１】
そして、ＰＣ等の各種電気機器の設置場所が決定されるのに伴い、余長線収納型ローゼット１の位置が決定された時には、図４に示すように、屋内の壁面等の所定の位置にベース板２下面を当接しておいてから、ベース板２の表面側からネジ孔１５にネジ１６をねじ込むことによって固定した後、ベース板２に上記したカバー４を取り付ける。
【００４２】
図７に示すように、光屋内配線用コネクタＰ１をシャッター付きアダプタ３の嵌合部Ａに嵌合させる。このとき、シャッター板９は板バネの押圧力に抗して開放されて光屋内配線用コネクタＰ１をガイドすると共に、シャッター板９自体は水平位置に保持される。
【００４３】
また、図９（ａ）および図９（ｂ）に示すように、通常においては、線材Ｌは余長線収納部１２の奥部内周壁面と巻き取り係止兼ガイド突起１０ａ、１０ｂとの間の定位置に収納されている。
【００４４】
そして、図９（ｃ）および図９（ｄ）に示すように、スリット部１３を介してのカバー４外方へ、局側光コネクタＰ２側の線材Ｌを例えば５０ｍｍ程度まで引っ張ると、前記余長線Ｌ１の一部を最小半径である例えば半径１５ｍｍ程度を保つようにして巻き取り係止兼ガイド突起１０ａ、１０ｂによって巻き込み係止させられる。
【００４５】
一方、図９（ｅ）および図９（ｆ）に示すように、スリット部１３を介してのカバー４内方へ、局側光コネクタＰ２側の線材Ｌを例えば５０ｍｍ程度だけ押し込むと、巻き取り係止兼ガイド突起１０ａ、１０ｂに対する余長線Ｌ１の巻き込みが巻き取り係止兼ガイド突起１０ａ、１０ｂによって解放されてから、余長線収納部１２の奥部内周壁面位置までスライドし収納される。
【００４６】
これにより、余長線収納部１２内に線材Ｌを収納した状態では最大５０ｍｍ縮まると共に、余長線収納部１２から線材Ｌを引き出した状態では、最大５０ｍｍ伸びた状態となるのである。このようにして、例えば工事の失敗における余長線Ｌ１の確保やＰＣ等の各種電気機器の設置箇所の移動等によって、余長線収納型ローゼット１の取付位置が変更された場合でも、これに十分に対処することができるのである。
【図面の簡単な説明】
【００４７】
【図１】本発明を実施するための最良の形態における余長線収納型ローゼットの分解された部品構成を示し、（ａ）はカバーの表側から見た斜視図、（ｂ）はカバーの裏側から見た斜視図、（ｃ）はシャッター付きアダプタの斜視図、（ｄ）はベース板の表側から見た斜視図、（ｅ）はベース板の裏側から見た斜視図である。
【図２】カバーにシャッター付きアダプタを取り付ける手順を示すもので、（ａ）は取り付け前の状態の表側からみた斜視図、（ｂ）は裏側からみた斜視図、（ｃ）は側断面図、（ｄ）は差し込み後の状態の一部拡大断面図、（ｅ）は取り付け後の斜視図である。
【図３】カバーのシャッター付きアダプタに局側光コネクタを接続した状態の斜視図である。
【図４】屋内の壁面にベース板をネジで取り付ける状態を示し、（ａ）はその斜視図、（ｂ）は側面図である。
【図５】屋内の壁面に両面粘着ファスナーで取り付け可能としたベース板の一例を示す斜視図である。
【図６】ベース板にカバーを取り付けた状態の斜視図である。
【図７】（ａ）は光屋内配線用コネクタの差し込み前の状態の斜視図、（ｂ）は差し込み後の状態の斜視図である。
【図８】同じく組立後の状態の余長線収納型ローゼットを示すもので、（ａ）は縦断面図、（ｂ）は横断面図、（ｃ）は局側光コネクタを差し込んだ状態の縦断面図である。
【図９】同じく余長線収納部内に収納された余長線をカバー外方に引き出す動作を示すもので、（ａ）は余長線を定位置に収納した状態の平面図、（ｂ）はその斜視図、（ｃ）は余長線を全て余長線収納部から外方へ引き出した状態の平面図、（ｄ）はその斜視図、（ｅ）は余長線を全て余長線収納部内に収納した状態の平面図、（ｆ）はその斜視図である。
【図１０】同じくカバー内面側を示すもので、（ａ）は局側光コネクタを接続する前の平面図、（ｂ）は局側光コネクタを接続した状態の平面図、（ｃ）は局側光コネクタから出た線材を最小半径に引き回した状態の平面図である。
【符号の説明】
【００４８】
Ｌ                線材
Ｌ１              余長線
Ｐ１              光屋内配線用コネクタ
Ｐ２              局側光コネクタ
Ａ、Ｂ            嵌合部
１                余長線収納型ローゼット
２                ベース板
３                シャッター付きアダプタ
４                カバー
４ａ              凸部
４ｂ              凹部
４ｃ              溝部
５                挿入枠部
６                係止片
７                係合部
７ａ              係止面部
８                挿入開口部
９                シャッター板
１０ａ、１０ｂ    巻き取り係止兼ガイド突起
１０ｃ乃至１０ｆ  ガイド突起
１２              余長線収納部
１３              スリット部
１５              ネジ孔
１６              ネジ
１８              貼着スペース
１９              両面粘着ファスナー
【図１】
2008276065.tif 000003
【図２】
2008276065.tif 000004
【図３】
2008276065.tif 000005
【図４】
2008276065.tif 000006
【図５】
2008276065.tif 000007
【図６】
2008276065.tif 000008
【図７】
2008276065.tif 000009
【図８】
2008276065.tif 000010
【図９】
2008276065.tif 000011
【図１０】
2008276065.tif 000012